(57)【要約】【課題】キャップの紛失を防止でき同時にディスプレイパネルの保護を図れる撮像装置用キャリングケースを提供する。【解決手段】撮像装置用キャリングケース３０は撮像装置１０を収容するものであり、ケース本体３２と蓋体３４とを含んで構成されている。ケース本体３２は、前壁部３６と、周壁部３８と、後端開口４０とを有している。後端開口４０を閉塞した状態でケース本体３２の内部に臨む蓋体３４の内面に収容部５６が設けられている。収容部５６は、キャップ１５の収容を可能としたものである。蓋体３４によって後端開口４０を閉塞した状態でケース本体３２の内部に臨む収容部５６の箇所は、柔軟性を有する材料で形成され、ディスプレイパネル１６の保護が図られている。【選択図】図４
2008233287.tif 000002
【特許請求の範囲】
【請求項１】
前壁部と、前記前壁部の周囲から後方に延在する周壁部と、前記周壁部の後端に設けられた後端開口とを有するケース本体と、
前記ケース本体に揺動可能に連結され前記後端開口を開閉する蓋体とを備え、
前記後端開口を閉塞した状態で前記ケース本体の内部に臨む前記蓋体の内面に撮像装置のレンズ鏡筒の先端に取着されるキャップを収容する収容部が設けられ、
前記後端開口を閉塞した状態で前記ケース本体の内部に臨む前記収容部の箇所は、柔軟性を有する材料で形成されている、
ことを特徴とする撮像装置用キャリングケース。
【請求項２】
前記蓋体は、前記後端開口を閉塞する本体壁を有し、
前記後端開口を閉塞した状態で前記ケース本体の内部に臨む前記収容部の箇所は、前記本体壁の左右側部を除いた残りの領域に延在している、
ことを特徴とする請求項１記載の撮像装置用キャリングケース。
【請求項３】
前記蓋体は、前記後端開口を閉塞する本体壁を有し、
前記収容部は、前記本体壁に重ね合わされた片体を含んで構成され、
前記片体と前記本体壁との間にキャップ収容空間が形成され、
前記片体の左右側部の一方と前記本体壁との間にキャップの出し入れ口が設けられ、
前記後端開口を閉塞した状態で前記ケース本体の内部に臨む前記収容部の箇所は、前記片体である、
ことを特徴とする請求項１記載の撮像装置用キャリングケース。
【請求項４】
前記蓋体は、前記後端開口を閉塞する本体壁を有し、
前記収容部は、前記本体壁に重ね合わされた片体を含んで構成され、
前記片体と前記本体壁との間にキャップ収容空間が形成され、
前記片体の左右側部の一方と前記本体壁との間に、キャップの出し入れ口が設けられ、
前記後端開口を閉塞した状態で前記ケース本体の内部に臨む前記収容部の箇所は、前記片体であり、
前記片体は、前記本体壁の左右側部を除いた残りの領域に延在している、
ことを特徴とする請求項１記載の撮像装置用キャリングケース。
【請求項５】
前記周壁部は、上面壁と、左右の側面壁と、下面壁とを有し、
前記蓋板は前記下面壁の後端に連結されている、
ことを特徴とする請求項１記載の撮像装置用キャリングケース。
【請求項６】
前記周壁部は、上面壁と、左右の側面壁と、下面壁とを有し、
前記上面壁にケース側係脱部が設けられ、
前記蓋板は前記下面壁の後端に連結され、
前記蓋体に、前記後端開口を閉塞した状態で前記ケース側係脱部に係脱する蓋体側係脱部が設けられている、
ことを特徴とする請求項１記載の撮像装置用キャリングケース。
【請求項７】
前記周壁部は、上面壁と、左右の側面壁と、下面壁とを有し、
前記左側面壁に、前記後端開口に連続して前方に延在する左欠部が設けられ、
前記左欠部の前方に位置する前記左側面壁の箇所に磁石が埋め込まれ、
前記上面壁にケース側係脱部が設けられ、
前記蓋体は、前記後端開口を閉塞する本体壁と、前記本体壁に接続され前記本体壁で前記後端開口を閉塞した状態で前記欠部を覆う側壁とを有し、
前記蓋体に、前記後端開口を閉塞した状態で前記欠部を覆う前記ケース側係脱部に係脱する蓋体側係脱部が設けられ、
前記側壁に前記磁石に吸着される金属板が埋め込まれている、
ことを特徴とする請求項１記載の撮像装置用キャリングケース。
【請求項８】
前記周壁部は、上面壁と、左右の側面壁と、下面壁とを有し、
前記右側面壁の後部に、前記後端開口に連続して前方に延在する右欠部が設けられ、
前記右側面壁の後端に、前記右欠部の後部を横切る帯体が設けられ、
前記帯体の長手方向の一端は前記右側面壁に取着され、他端は前記右側面に係脱可能に設けられている、
ことを特徴とする請求項１記載の撮像装置用キャリングケース。
【請求項９】
撮像装置用キャリングケースに収容される撮像装置は、カメラボディと、前記カメラボディの前面から突出されたレンズ鏡筒と、前記カメラボディの背面に設けられたディスプレイパネルとを備え、
前記ケース本体に、前記レンズ鏡筒と前記カメラボディが収容され、
前記柔軟性を有する材料は、前記ケース本体に前記レンズ鏡筒と前記カメラボディが収容され前記後端開口を閉塞した状態で前記ディスプレイパネルを覆う大きさで設けられている、
ことを特徴とする請求項１記載の撮像装置用キャリングケース。
【請求項１０】
撮像装置用キャリングケースに収容される撮像装置は、カメラボディと、前記カメラボディの前面の左側部から突出されたグリップ部と、前記カメラボディの前面の左側部を除く領域から突出されたレンズ鏡筒と、前記カメラボディの背面に設けられたディスプレイパネルとを備え、
前記周壁部は、上面壁と、左右の側面壁と、下面壁とを有し、
前記左側面壁に、前記後端開口に連続して前方に延在する左欠部が設けられ、
前記左欠部の前方に位置する前記左側面壁の箇所に磁石が埋め込まれ、
前記ケース本体に前記レンズ鏡筒と前記カメラボディが収容され状態で前記左欠部に前記グリップ部が位置し、
前記蓋体は、前記後端開口を閉塞する本体壁と、前記本体壁に接続され前記本体壁で前記後端開口を閉塞した状態で前記欠部とともに前記グリップ部を覆う側壁とを有し、
前記欠部とともに前記グリップ部が前記側壁で覆われた状態で前記磁石に吸着される金属板が前記側壁に設けられ、
前記柔軟性を有する材料は、前記ケース本体に、前記レンズ鏡筒と前記カメラボディが収容され、前記後端開口を閉塞した状態で前記ディスプレイパネルを覆う大きさで設けられている、
ことを特徴とする請求項１記載の撮像装置用キャリングケース。
【発明の詳細な説明】
【技術分野】
【０００１】
本発明は撮像装置用キャリングケースに関する。
【背景技術】
【０００２】
従来からデジタルスチルカメラやビデオカメラなどの撮像装置を収容して持ち運ぶ撮像装置用キャリングケースが提供されている。
このような撮像装置用キャリングケースとして、前後に延在し後端に後端開口が設けられたケース本体と、このケース本体に連結され後端開口を開閉する蓋体とを備えたものが提供されている（特許文献１、２参照）。
これらの撮像装置用キャリングケースは、蓋体を開放するだけでケース本体に収容されている撮像装置を素早く取り出すことができるため、撮影チャンスを逃すことなく撮影を行うことができ、いわゆる速写性に優れたものとなっている。
【特許文献１】実開平３−９６１７
【特許文献２】特開平１１−２０６４３３
【発明の開示】
【発明が解決しようとする課題】
【０００３】
ところで、撮像装置はレンズ鏡筒を備えており、レンズ鏡筒の先端にはレンズ保護用のキャップが着脱可能に装着されている。
ユーザーは、レンズ鏡筒からキャップを取り外して撮影を行うが、取り外したキャップを取り落としたり、あるいは、撮影場所に置き忘れて紛失することがあった。
また、デジタルスチルカメラのカメラボディの背面には、撮像された被写体像、あるいは、記録媒体から読み出された画像などを表示するための例えば液晶表示装置からなるディスプレイパネルが設けられており、このディスプレイパネルは、撮像装置用キャリングケースに収容された携帯時に、傷などが付かないように保護されるべきである。
本発明はこのような事情に鑑みなされたものであり、その目的は、キャップの紛失を防止でき同時にディスプレイパネルの保護を図れる撮像装置用キャリングケースを提供することにある。
【課題を解決するための手段】
【０００４】
上述の目的を達成するため、本発明の撮像装置用キャリングケースは、前壁部と、前記前壁部の周囲から後方に延在する周壁部と、前記周壁部の後端に設けられた後端開口とを有するケース本体と、前記ケース本体に揺動可能に連結され前記後端開口を開閉する蓋体とを備え、前記後端開口を閉塞した状態で前記ケース本体の内部に臨む前記蓋体の内面に撮像装置のレンズ鏡筒の先端に取着されるキャップを収容する収容部が設けられ、前記後端開口を閉塞した状態で前記ケース本体の内部に臨む前記収容部の箇所は、柔軟性を有する材料で形成されていることを特徴とする。
【発明の効果】
【０００５】
本発明によれば、後端開口を閉塞した状態でケース本体の内部に臨む蓋体の内面に収容部が設けられているので、蓋体を開放した状態で、即座にキャップを収容部に収容でき、キャップの紛失を防止できる。また、ケース本体の内部に臨む収容部の箇所が柔軟性を有する材料で形成されているため、ディスプレイパネルの保護が図れる。
【発明を実施するための最良の形態】
【０００６】
次に本発明の実施の形態について図面を参照して説明する。
まず、本発明の撮像装置用キャリングケース３０に収容される撮像装置１０について説明する。
本実施の形態では、撮像装置１０は、一眼レフタイプのデジタルスチルカメラである。
図１は撮像装置１０を前方から見た斜視図、図２は撮像装置１０を後方から見た斜視図である。
図１、図２に示すように、撮像装置１０は、カメラボディ１１とレンズ鏡筒１４などを含んで構成されている。
カメラボディ１１は、外装を構成し前後方向の長さよりも大きな寸法の上下方向の高さと、上下方向の高さよりも大きな寸法の左右方向の幅を有するケース１２を有している。
なお、本明細書において、撮像装置１０の前方とは被写体側をいい、後方とはその反対側をいい、左右は撮像装置１０を前方から見た状態でいうものとする。
【０００７】
ケース１２は、前方に臨む前面１２Ａと、後方に臨む背面１２Ｂと、上方に臨む上面１２Ｃと、下方に臨む下面１２Ｄと、左右側方に臨む左右の側面１２Ｅ、１２Ｆとを有している。
前面１２Ａの左側部を除く領域には、レンズ鏡筒１４が着脱可能に装着されている。
レンズ鏡筒１４は、被写体像をケース１２内部に設けられた撮像素子（不図示）に導く撮影光学系１４Ａが組み込まれ、前面１２Ａに装着された状態で前後に延在している。
また、レンズ鏡筒１４の先端には、撮影光学系１４Ａを保護するために、図２、図５に示すキャップ１５が着脱可能に取着される。
前面１２Ａの左側部には、グリップ部１２０４が前方に突出している。グリップ部１２０４は、ケース１２と同じ高さを有している。
グリップ部１２０４の上面には、グリップ部１２０４を把持した右手の指で操作されるシャッターボタン１２０６および操作用リング１２０８が設けられている。
操作用リング１２０８は、それを回転操作することにより、シャッター速度や絞り値の設定値を調整するものである。
左側面１２Ｅには、撮像装置１０によって撮影された画像データを記録するメモリカードなどの記録媒体を挿脱するための記録媒体収容部（不図示）が設けられている。
記録媒体収容部は、左側面１２Ｅに揺動可能に設けられた開閉蓋１２１０によって開閉可能に覆われている。
上面１２Ｃには、撮影補助光を照射するためのフラッシュ部１２１２が出没可能に設けられている。
【０００８】
フラッシュ部１２１４を挟む上面１２Ｃの左右には、撮像装置１０の機能を設定したり撮影モードなどを切り換えるための２つの操作ダイヤル１２１４、１２１６がそれぞれ設けられている。
２つの操作ダイヤルのうち、一方の操作ダイヤル１２１４は、画像撮影モードを設定するためのものである。
画像撮影モードとしては、シャッター速度や絞り値を含む種々の設定が自動で設定されるオート撮影、予め撮影状況に合わせてシャッター速度や絞り値などが複数種類用意されたシーンセレクション、シャッター速度と絞り値は自動で設定され他の設定が手動で調整されるプログラムオート撮影、絞り値を手動で設定することでシャッター速度が自動で設定される絞り優先撮影、シャッター速度を手動で設定することで絞り値が自動で設定されるシャッタースピード優先撮影、シャッター速度と絞り値の双方を手動で設定するマニュアルモード撮影などがある。
２つの操作ダイヤルのうち、他方の操作ダイヤル１２１６は、撮影にまつわる種々の機能の設定を行うためのものである。
他方の操作ダイヤル１２１６で設定される機能としては、ＩＳＯ感度、ホワイトバランス、フォーカスモード、フラッシュ、測光モードなどがある。
これらの機能の設定は、後述するビューファインダー１２１８あるいはディスプレイパネル１６に表示される設定用の画面などを視認しつつ、操作ダイヤル１２１６と、後述する操作ボタン１２２４、十字キー１２２６との双方を操作することで行われる。
【０００９】
背面１２Ｂの上部には、前記撮像素子によって撮像された被写体像を視認するためのビューファインダー（光学式ファインダーまたは電子式ファインダー）１２１８が設けられている。
背面１２Ｂのほぼ中央には、前記撮像素子によって撮像された被写体像、あるいは、前記記録媒体から読み出された画像などを表示するためのモニター、例えば液晶表示装置からなるディスプレイパネル１６が設けられている。
また、上面１２Ｃの左側面１２Ｅ寄りの箇所と右側面１２Ｆの上部寄りの箇所には、吊り下げ紐（ショルダーストラップ）１８の両端を取り付けるための左右の取り付け部１２２０、１２２２が設けられている。
ディスプレイパネル１６の周囲の背面１２Ｂ箇所には、種々の操作を行うための複数の操作ボタン１２２４、十字キー１２２６が設けられている。
【００１０】
次に、上述の撮像装置１０を収容する本発明の撮像装置用キャリングケース３０について詳細に説明する。
図３は撮像装置１０を撮像装置用キャリングケース３０に収容する説明図、図４は撮像装置１０がケース本体３２に収容された状態の説明図、図５はキャップ１５を収容部５６に収容する説明図、図６は撮像装置用キャリングケース３０をユーザーのベルトに装着した状態の説明図、図７は吊り下げ紐１８に撮像装置用キャリングケース３０が連結された状態を示す説明図である。
なお、本明細書において、撮像装置用キャリングケース３０の前方とはレンズ鏡筒１４の先端が収容される側をいい、後方とはその反対側をいい、左右は撮像装置用キャリングケース３０を前方から見た状態でいうものとする。
【００１１】
図３に示すように、撮像装置用キャリングケース３０は撮像装置１０を収容するものであり、ケース本体３２と蓋体３４とを含んで構成されている。
なお、ケース本体３２と蓋体３４は、例えば、外面を皮や合成皮革とし、内面を合成繊維やビロードとするなど、撮像装置用キャリングケース３０に用いられる従来公知のさまざまな材料が採用可能である。
【００１２】
ケース本体３２は、レンズ鏡筒１４とカメラボディ１１が収容されるように形成されている。
ケース本体３２は、前壁部３６と、周壁部３８と、後端開口４０とを有している。
前壁部３６は、撮像装置１０のレンズ鏡筒１４の前面を覆う大きさで形成されている。
周壁部３８は、前壁部３６の周囲から後方に延在している。
後端開口４０は、周壁部３８の後端に設けられている。
周壁部３８は、上面壁４２と、左右の側面壁４４Ａ、４４Ｂと、下面壁４６とを有している。
上面壁４２の外面には、ケース側係脱部４８が設けられている。
【００１３】
左側面壁４４Ａには、後端開口４０に連続して前方に延在する左欠部４４０２が設けられている。
この左欠部４４０２には、ケース本体３２にレンズ鏡筒１４とカメラボディ１１が収容された状態でグリップ部１２０４が位置し収容される。
また、左欠部４４０２の前方に位置する左側面壁４４の箇所に磁石４４０４が埋め込まれている。
【００１４】
右側面壁４４Ｂの後部に、後端開口４０に連続して前方に延在する右欠部４４１０が設けられている。
図４に示すように、右側面壁４４の後端に、右欠部４４１０の後部を横切る帯体４５が設けられている。
図３、図４に示すように、帯体４５の長手方向の一端は右側面壁４４Ｂに取着され、他端は右側面壁４４Ｂにスナップボタン４５０２を介して係脱可能に設けられている。
【００１５】
図３に示すように、下面壁４６の後部には、撮像装置用キャリングケース３０の吊り下げベルト挿通用のリング６２が設けられ、また、リング６２に隣接した下面壁４６箇所にベルト挿通用の係止具６４が設けられ、係止具６４は下面壁４６の後部から前面壁  に向かって前後に延在している。
【００１６】
図４に示すように、蓋体３４は、ケース本体３２に揺動可能に連結され後端開口４０を開閉するものである。
図４に示すように、蓋体３４は、後端開口４０を閉塞する本体壁５０と、本体壁５０に接続され本体壁５０で後端開口４０を閉塞した状態で図３に示す左欠部４４０２を覆う側壁５２とを有している。
本実施の形態では、図３に示すように、本体壁５０の下部が下面壁４６の後端に連結されている。
また、本体壁５０の上部には、後端開口４０を閉塞した状態でケース側係脱部４８に係脱する蓋体側係脱部５４が設けられている。
なお、ケース側係脱部４８と蓋体側係脱部５４の構成には、例えば、図４に示すように、拡縮可能な合成樹脂製の一対の係止爪５４０２と、それら係止爪５４０２を収容しそれら係止爪５４０２の先部が係脱される開口４８０２を有する合成樹脂製のケース４８０４など、従来公知のさまざまな係脱機構の構造が採用可能である。
側壁５２には、磁石４４０４（図３）に吸着される金属板５２０２が埋め込まれている。
より詳細には、ケース本体３２にレンズ鏡筒１４とカメラボディ１１が収容された状態で左欠部４４０２にグリップ部１２０４が位置し、この状態で本体壁５０で後端開口４０を閉塞すると、左欠部４４０２とともにグリップ部１２０２が側壁５２で覆われ、この状態で磁石４４０４に吸着される金属板５２０２が側壁５２に設けられ、したがって、磁石４４０４と金属板５２０２により、グリップ部１２０２を側壁５２で覆った状態が保持される。
【００１７】
図４、図５に示すように、後端開口４０を閉塞した状態でケース本体３２の内部に臨む蓋体３４の内面に収容部５６が設けられている。
収容部５６は、図５に示すキャップ１５の収容を可能としたものである。
蓋体３４によって後端開口４０を閉塞した状態でケース本体３２の内部に臨む収容部５６の箇所は、柔軟性を有する材料で形成され、ディスプレイパネル１６の保護が図られている。このような柔軟性を有する材料として例えば厚手の布やフェルトなど従来公知のさまざまな材料が採用可能である。
図４、図５に示すように、後端開口４０を閉塞した状態でケース本体３２の内部に臨む収容部５６の箇所は、本体壁５０の左右側部を除いた残りの領域に延在している。
より詳細には、図４に示すように、後端開口４０を閉塞した状態でケース本体３２の内部に臨む収容部５６の箇所は、ケース本体３２に、レンズ鏡筒１４とカメラボディ１１が収容され、後端開口４０を閉塞した状態でディスプレイパネル１６を覆う大きさで設けられている。
収容部５６は、本体壁５０に重ね合わされた片体５８を含んで構成されている。
そして、図５に示すように、片体５８と本体壁５０との間にキャップ１５を収容するキャップ収容空間Ｓが形成されている。
片体５８の左右側部の一方と本体壁５０との間にキャップ１５の出し入れ口６０が設けられ、キャップ１５はこの出し入れ口６０から収容部５６に出し入れされる。
本実施の形態では、後端開口４０を閉塞した状態でケース本体３２の内部に臨む収容部５６の箇所は、片体５８であり、したがって、片体５８は、本体壁５０の左右側部を除いた残りの領域に延在し、片体５８は厚手の布やフェルトなど従来公知のさまざまな材料で形成されている。
【００１８】
次に撮像装置用キャリングケース３０の使用方法について説明する。
まず、撮像装置１０を撮像装置用キャリングケース３０に収容する場合について説明する。
図３に示すように、予め撮像装置１０のレンズ鏡筒１４の先端にキャップ１５を取着しておく。
そして、撮像装置用キャリングケース３０の蓋体３４を開いて後端開口４０を開放した状態で、撮像装置１０を、レンズ鏡筒１４をケース本体３２の前壁部３６に臨ませつつケース本体３２の内部に挿入し、左欠部４４０２にグリップ部１２０４が位置した状態とする。
図４に示すように、撮像装置１０がケース本体３２に収容されたならば、左側の取り付け部１２２０に取り付けられた吊り下げ紐１８の部分を、右欠部４４１０からケース本体３２の外方に導出し、帯体４５と右欠部４４１０との間に吊り下げ紐１８の部分を位置させた状態で帯体４５の他端を右側面壁４４Ｂにスナップボタン４５０２を介して留める。
これにより、撮像装置１０に連結された吊り下げ紐１８が、帯体４５を介してケース本体３２（撮像装置用キャリングケース３０）に連結される。
そして、本体壁５０で後端開口４０を閉塞するとともに、側壁５２で左欠部４４０２とともにグリップ部１２０２を側壁５２で覆う。これにより、側壁５２の金属板５２０２がケース本体３２の磁石４４０４に吸着され、蓋体３４の閉塞状態が保持される。
そして、ケース側係脱部４８と蓋体側係脱部５４とを係合させることにより、蓋体３４による後端開口４０の閉塞状態がロックされる。
この状態でケース本体３２に収容された撮像装置１０のディスプレイパネル１６は収容部５６に臨んでいる。
そして、吊り下げ紐１８を肩や首に掛けることで撮像装置１０が収容された撮像装置用キャリングケース３０を運搬することができ、あるいは、図６に示すように、係止具６４（図３）をズボンのベルト２に係止することで撮像装置１０が収容された撮像装置用キャリングケース３０を運搬することができる。
【００１９】
次に、撮像装置１０を撮像装置用キャリングケース３０から取り出す場合について説明する。
まず、ケース側係脱部４８と蓋体側係脱部５４との係合を解除し、蓋体３４を手で把持して開放方向に揺動させ、側壁５２の金属板５２０２とケース本体３２の磁石４４０４との吸着を解除して、図４に示すように、後端開口４０を開放する。
次いで、左欠部４４０２に位置したグリップ部１２０４を把持して撮像装置１０を後端開口４０を介してケース本体３２から取り出す。
そして、レンズ鏡筒１４の先端からキャップ１５を取り外し、図５に示すように、キャップ１５を出し入れ口６０を介して収容部５６のキャップ収容空間Ｓに収容する。
そして、撮像装置１０を手で把持して撮影を行う。
【００２０】
撮影チャンスを待機している場合には、撮像装置１０をケース本体３２内に収容して蓋体３４で後端開口４０を閉塞し、側壁５２で左欠部４４０２とともにグリップ部１２０２を側壁５２で覆う。
この際、側壁５２の金属板５２０２がケース本体３２の磁石４４０４に吸着され、蓋体３４の閉塞状態が保持されるので、ユーザーが動いても不用意に蓋体３４が開放してしまうことがない。
そして、この状態でケース側係脱部４８と蓋体側係脱部５４とを非係合状態としておけば、撮影チャンスが来たならば、蓋体３４を開放方向に揺動させれば、即座に後端開口４０を開放して撮像装置１０をケース本体３２から取り出して撮影することができる。
【００２１】
以上説明したように本実施の形態によれば、後端開口４０を閉塞した状態でケース本体３２の内部に臨む蓋体３４の内面に収容部５６が設けられているので、蓋体３４を開放した状態で、即座にキャップ１５を収容部５６に収容することができる。
したがって、取り外したキャップを取り落としたり、あるいは、撮影場所に置き忘れて紛失することがなく撮像装置用キャリングケース３０の使い勝手を向上させる上で有利となる。
また、後端開口４０を閉塞した状態でケース本体３２の内部に臨む収容部５６の箇所が柔軟性を有する材料で形成されているため、撮像装置１０を撮像装置用キャリングケース３０に収容した状態で撮像装置１０が振動や衝撃で動いたとしても、ディスプレイパネル１６の表面に収容部５６が当接するため、ディスプレイパネル１６の表面に傷が付くことを確実に防止することができる。したがって、専用の部材を設けることなくディスプレイパネル１６の保護を図ることができ部品コストを低減する上でも有利となる。
【００２２】
また、本実施の形態では、帯体４５を設けることにより、図４、図７に示すように、吊り下げ紐１８が帯体４５を介してケース本体３２（撮像装置用キャリングケース３０）に連結されているので、吊り下げ紐１８から撮像装置用キャリングケース３０が脱落することが防止され、使い勝手を高める上で有利となる。
また本実施の形態では、蓋体３４により後端開口４０を閉塞した状態が、側壁５２の金属板５２０２がケース本体３２の磁石４４０４に吸着されることで保持されるため、必要に応じて蓋体３４を素早く開放して撮像装置１０をケース本体３２から取り出すことができ、使い勝手を高める上で有利となる。
また、本実施の形態では、ケース本体３２にレンズ鏡筒１４とカメラボディ１１が収容され状態で左欠部４４０２にグリップ部１２０４が位置するようにしたので、撮像装置１０をケース本体３２から取り出す際にグリップ部１２０４を即座に把持できるため、使い勝手を高める上で有利となる。
【００２３】
なお、本実施の形態では、撮像装置用キャリングケース３０に収容される撮像装置が一眼レフタイプのデジタルスチルカメラである場合について説明したが、撮像装置用キャリングケース３０に収容する撮像装置は、一眼レフタイプに限定されず、さまざまな種類に適用可能であり、また、撮像装置はデジタルスチルカメラに限定されず、ビデオカメラなどの他の種類のカメラにも適用される。
【図面の簡単な説明】
【００２４】
【図１】撮像装置１０を前方から見た斜視図である。
【図２】撮像装置１０を後方から見た斜視図である。
【図３】撮像装置１０を撮像装置用キャリングケース３０に収容する説明図である。
【図４】撮像装置１０がケース本体３２に収容された状態の説明図である。
【図５】キャップ１５を収容部５６に収容する説明図である。
【図６】撮像装置用キャリングケース３０をユーザーのベルトに装着した状態の説明図である。
【図７】吊り下げ紐１８に撮像装置用キャリングケース３０が連結された状態を示す説明図である。
【符号の説明】
【００２５】
１０……撮像装置、１４……レンズ鏡筒、１５……キャップ、３０……撮像装置用キャリングケース、３２……ケース本体、３４……蓋体、３６……前壁部、３８……周壁部、４０……後端開口、５６……収容部。
【図１】
2008233287.tif 000003
【図２】
2008233287.tif 000004
【図３】
2008233287.tif 000005
【図４】
2008233287.tif 000006
【図５】
2008233287.tif 000007
【図６】
2008233287.tif 000008
【図７】
2008233287.tif 000009